(57)【要約】【課題】フィルターの洗浄を容易になし得、かつ、フィルターケースとの液密性又は気密性に優れたフィルターの組付けを容易になし得る流体ろ過器の提供。【解決手段】一端を流入口４とし、他端を盲蓋１０により開蓋可能に液密又は気密に閉塞し、かつ、他端筒部に流出口６を突設したほぼ円筒状を呈し、９０°配管の流路に着脱可能に介装されるフィルターケース１と、一端がＯリング１６を介在してフィルターケースの一端内周面に液密又は気密に挿着され、かつ、他端に撓み部１９を介在させて設けたフランジ２０が前記盲蓋によりフィルターケースの他端面にパッキン１１を介在させて液密又は気密に押圧固定される金属製のほぼ円筒状のフィルター１４とを備える。【選択図】  図１
2005261995.tif 000002
【特許請求の範囲】
【請求項１】
一端を流入口とし、他端を盲蓋により開蓋可能に液密又は気密に閉塞し、かつ、他端筒部に流出口を突設したほぼ円筒状を呈し、９０°配管の流路に着脱可能に介装されるフィルターケースと、一端がＯリングを介在してフィルターケースの一端内周面に液密又は気密に挿着され、かつ、他端に撓み部を介在させて設けたフランジが前記盲蓋によりフィルターケースの他端面にパッキンを介在させて液密又は気密に押圧固定される金属製のほぼ円筒状のフィルターとを備えることを特徴とする流体ろ過器。
【請求項２】
前記フィルターの撓み部がアール状の湾曲部であることを特徴とする請求項１記載の流体ろ過器。
【請求項３】
前記フィルターの撓み部が波形状の蛇腹部であることを特徴とする請求項１記載の流体ろ過器。
【発明の詳細な説明】
【技術分野】
【０００１】
本発明は、流体の配管流路に着脱可能に介装されて流体をろ過する流体ろ過器に関する。
【背景技術】
【０００２】
上述した流体ろ過器は、ろ塊により目詰まりしたフィルターの清掃を行うため、配管流路に着脱可能に直列に介装されているのが一般的である。
【０００３】
従来、この種の流体ろ過器としては、円筒状の外殻パイプの軸心部に、原水流入側で閉塞支承され、浄水流出側で開放支承された有底円筒状を呈する透水性の多孔メッシュパイプを支承した活性浄水製造装置が知られている。
【０００４】
この活性浄水製造装置は、外殻パイプと多孔メッシュパイプとの間に粒状ろ過素材を充填し、多孔メッシュパイプにおける原水流入側の透水性鍔部から外殻パイプと多孔メッシュパイプとの間に流入する原水を活性浄化し、浄水を多孔メッシュパイプの中空部を経て流出させるようにし、かつ、浄水流出側の閉塞性鍔部により粒状ろ過素材の逸出を防止するものである。
【０００５】
しかし、従来の流体ろ過器では、フィルターとしての多孔メッシュパイプが有底円筒状を呈するため、その洗浄に際して底部が障害となり、十分な洗浄が困難となってろ塊が残留する不具合がある。
かかる不具合は、ろ過対象が食品の場合、例えば、牛乳の場合、ろ塊が雑菌増殖の温床となり、重大事故を招来するおそれがある。
又、外殻パイプと多孔メッシュパイプの透水性鍔部及び閉塞性鍔部との間の液密性が不十分であるため、たとえ多孔メッシュパイプの網目を十分に小さくしたとしても、外殻パイプと両鍔部との間を原液が通過し、ろ液にろ過されていない原液が混入するおそれがある。
【特許文献１】特開２００１−２３２３７８号公報
【発明の開示】
【発明が解決しようとする課題】
【０００６】
本発明は、フィルターの洗浄を容易になし得、かつ、フィルターケースとの液密性又は気密性に優れたフィルターの組付けを容易になし得る流体ろ過器の提供を課題とする。
【課題を解決するための手段】
【０００７】
本発明の流体ろ過器は、一端を流入口とし、他端を盲蓋により開蓋可能に液密又は気密に閉塞し、かつ、他端筒部に流出口を突設したほぼ円筒状を呈し、９０°配管の流路に着脱可能に介装されるフィルターケースと、一端がＯリングを介在してフィルターケースの一端内周面に液密又は気密に挿着され、かつ、他端に撓み部を介在させて設けたフランジが前記盲蓋によりフィルターケースの他端面にパッキンを介在させて液密又は気密に押圧固定される金属製のほぼ円筒状のフィルターとを備えることを特徴とする。
【０００８】
一方、前記フィルターの撓み部がアール状の湾曲部であることが好ましい。
【０００９】
又、前記フィルターの撓み部が波形状の蛇腹部であってよい。
【発明の効果】
【００１０】
本発明の流体ろ過器によれば、フィルターが、両端開口の円筒状であるので、その十分な洗浄を容易に行うことができる。
又、フィルターケースとフィルターとの間の液密性又は気密性がＯリングとパッキンによって確保されると共に、フィルターケースへのフィルターの組付けがフィルターケースへのフィルターの挿入と盲蓋の閉蓋によって行われ、かつ、フィルターのフランジの直角度の誤差が撓み部の撓みによって吸収されるので、フィルターケースとの液密性又は気密性に優れたフィルターの組付けを容易に行うことができる。
【発明を実施するための最良の形態】
【００１１】
フィルターケースの流路配管との接続、及びフィルターケースへの盲蓋の装着には、被ろ過流体が液体で食品（例えば、牛乳）の場合、パッキン（ガスケット）を介在してクランプで締結されるヘルールフランジを用いるのが好ましいが、パッキンを介在してボルト締めされる通常のフランジを用いてもよい。
フィルターケースは、食品関係に使用する場合には、ステンレス鋼等の金属製とし、かつ、全面サニタリー仕上げとすることが好ましい。
又、フィルターケースにおけるフィルターの一端が挿着される一端の内径は、当然、フィルターケースの他の部分より小径とし、かつ、軸線と平行な内周面を有するようにすることが好ましく、このようにすることにより、フィルターの長さ寸法誤差を吸収することができる。
【００１２】
盲蓋におけるフィルターのフランジとの当接は、外径方向に隙間のあるいんろう嵌合とすることが好ましく、このようにすることにより、フィルターの軸線とフィルターケースの軸線との製作誤差を吸収させることができる。
【００１３】
フィルターは、食品関係に使用する場合には、フィルターケースと同様に、ステンレス鋼等の金属製とし、かつ、全面サニタリー仕上げとすることが好ましい。
フィルターは、電子ビーム加工による微小な無数の透孔を有する円筒状のフィルター本体と、フィルター本体の一端に連設され、外周にＯリング取付け溝を有するＯリング用カラーと、フィルター本体の他端に連設され、撓み部を介在してフランジを設けたフランジ用カラーとからなるものが好ましく、フィルター本体への両カラーの取り付けは、ろ塊の残留を防止するため、突き合わせ溶接にすることが好ましい。
【実施例１】
【００１４】
図１、図２、及び図３は、それぞれ本発明に係る流体ろ過器の実施例１を示す一部を省略した縦断面図、図１の流体ろ過器におけるフィルターの矢印Ａ方向からの拡大端面図、及び図１の流体ろ過器におけるフィルターの矢印Ｂ方向からの拡大端面図である。
【００１５】
この流体ろ過器は、牛乳のろ過に使用するものであり、９０°配管の流路（図示せず）に着脱可能に介装されるフィルターケース１を備えている。
フィルターケース１は、ステンレス鋼（例えば、ＳＵＳ３０４）からなり、流路配管より大径の円筒状のケース本体２と、ケース本体２の一端（図１においては左端）に連設された、流路配管と同内径のヘルールフランジ３付き流入口４と、ケース本体２の他端（図１においては右端）筒部に直角に突設されたヘルールフランジ５付き流出口６と、後述する盲蓋の閉蓋に供すべく、ケース本体２の他端に設けたヘルールフランジ７とからなり、ケース本体２の一端の内径は、後述するフィルターの一端を挿着すべく、他の部分より小径の小径部８とされ、その内周面は、ケース本体２の軸線と平行に設けられている。
【００１６】
フィルターケース１のケース本体２の他端は、ヘルールフランジ９付きの盲板１０によりケース本体２の他端面との間にヘルールガスケット１１を介在しクランプ（図示せず）によって開蓋可能に液密に閉塞されており、この盲板１０の内面には、後述するフィルターのフランジをいんろう嵌合する円形凹部１２が形成され、又、盲板１０の外面には、盲板１０を着脱する際の把っ手１３が設けられている。
盲蓋１０は、フィルターケース１と同様のステンレス鋼からなるものである。
【００１７】
そして、フィルターケース１内には、牛乳をろ過するフィルター１４が着脱可能に装着されている。
フィルター１４は、ステンレス鋼（例えば、ＳＵＳ３１６Ｌ）からなり、電子ビーム加工により６０メッシュ程度の微小な多数の透孔を有し、前述した流入口４と同内径の円筒状を呈するフィルター本体１５と、フィルター本体１５の一端に突き合わせ溶接によって連設され、フィルター１４の一端をフィルターケース１の小径部８に液密に装着すべく、Ｏリング１６が取り付けられるＯリング取付け溝１７を外周に有するＯリング用カラー１８と、フィルター本体１５の他端に突き合わせ溶接によって連設され、８アール程度の比較的大きな撓み部としての湾曲部１９を介在してフランジ２０を設けたフランジ用カラー２１とからなり、Ｏリング取付け溝１７にＯリング１６を取り付けたＯリング用カラー１８をケース本体２の小径部８に挿着し、かつ、フランジ用カラー２１のフランジ２０をヘルールガスケット１１に当接すると共に、盲蓋１０の円形凹部１２にいんろう嵌合し、その閉蓋によりケース本体２のヘルールフランジ７に液密に押圧固定されるものである。
【００１８】
上述した流体ろ過器によるろ過に際しては、原液が矢印Ｃ方向へ流れるものであり、又、そのフィルター１４の洗浄に際しては、盲蓋１０を開蓋し、フィルター１９をフィルターケース１から取り外して行う。
【実施例２】
【００１９】
図４は、本発明に係る流体ろ過器の実施例２を示す要部の縦断面図である。
【００２０】
この流体ろ過器は、実施例１のものが、フィルター１４におけるフランジ２０の直角度の誤差を吸収するための撓み部として、比較的大きな湾曲部１９を介在してフランジ２０を設けたのに対し、フィルター１４′におけるフランジ用カラー２１′の撓み部として、波形状の蛇腹部２２としたものである。
他の構成及び作用効果は、実施例１のものと同様であるので、同一の構成部材等には同一の符号を付してその説明を省略する。
【００２１】
なお、上述した両実施例においては、フィルター１４，１４′のフィルター本体１５として電子ビーム加工によりなるものを用いる場合について説明したが、これに限定されるものではなく、フィルター本体１４，１４′を金網、その他からなるものとしてもよい。
又、ろ過対象物は、液体に限定されるものではなく、フィルター１４，１４′の網目を細かくすることにより、気体のろ過にも用いることができるのは自明である。この場合、盲蓋１０、フィルター１４，１４′の両端は、当然、気密性を有するものとされる。
【図面の簡単な説明】
【００２２】
【図１】本発明に係る流体ろ過器の実施例１を示す一部を省略した縦断面図である。
【図２】図１の流体ろ過器におけるフィルターの矢印Ａ方向からの拡大端面図である。
【図３】図１の流体ろ過器におけるフィルターの矢印Ｂ方向からの拡大端面図である。
【図４】本発明に係る流体ろ過器の実施例２を示す要部の縦断面図である。
【符号の説明】
【００２３】
１    フィルターケース
４    流入口
６    流出口
８    小径部
１０    盲蓋
１１    ヘルールガスケット（パッキン）
１４    フィルター
１４′    フィルター
１６    Ｏリング
１９    湾曲部（撓み部）
２０    フランジ
２２    蛇腹部（撓み部）
【図１】
2005261995.tif 000003
【図２】
2005261995.tif 000004
【図３】
2005261995.tif 000005
【図４】
2005261995.tif 000006